【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなる原積層シート体に、
貼着シート部と剥離シート部の両者を除去して離型シート部からなる第１領域を形成するための第１領域形成部と、
剥離シート部を除去して離型シート部と貼着シート部が積層してなる第２領域を形成するための第２領域形成部と、
離型シート部と貼着シート部と剥離シート部がこの順に積層してなる第３領域を設けて積層シート体を製造する方法であって、
前記原積層シート体に対し、
前記第１領域形成部と第３領域の境界には、第１領域形成部から貼着シート部と剥離シート部を除去するための、剥離シート部と貼着シート部にわたる切離部を形成し、
前記第２領域形成部と第３領域の境界には、剥離シート部を除去するための切離部を剥離シート部に形成し、
前記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部を形成することにより、前記第１領域形成部、第２領域形成部及び第３領域を設けることを特徴とする積層シート体製造方法。
【請求項２】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部を形成する、請求項１記載の積層シート製造方法。
【請求項３】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分について、上記原積層シート体における貼着シート部に予め切離部を形成する、請求項１記載の積層シート製造方法。
【請求項４】
上記原積層シート体が所定方向に間隔おきに切離可能部を有するか、又は、上記原積層シート体若しくは上記積層シート体に所定方向間隔おきに切離可能部を設ける工程を有し、
前記切離可能部を介して所定方向に積層シート体が複数連続してなる積層シート連続体を製造するものであって、
第２領域形成部と第３領域の一方が、所定方向において第１領域形成部により全幅にわたり中断することがない状態で、前記切離可能部を介して所定方向に連続している請求項１乃至３の何れか１項に記載の積層シート製造方法。
【請求項５】
上記切離可能部を介して所定方向に複数連続してなる積層シート体が、各積層シート体の所定方向の両端部又は一端部に第２領域形成部を有し、その第２領域形成部に隣接して第３領域を有するものである請求項４記載の積層シート体製造方法。
【請求項６】
上記切離可能部を介して所定方向に複数連続してなる積層シート体における所定方向に隣接する積層シート体が、それぞれの所定方向における端部に形成された第２領域形成部同士において相対するものである請求項５記載の積層シート体製造方法。
【請求項７】
上記切離可能部を介して所定方向に複数連続してなる積層シート体が、各積層シート体の両側部それぞれに第１領域形成部を有し、それらの第１領域形成部が切離可能部を介して所定方向に連続しているものである請求項４乃至６の何れか１項に記載の積層シート体製造方法。
【請求項８】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなるシート体であって、
貼着シート部と剥離シート部の両者を除去して離型シート部からなる第１領域を形成するための第１領域形成部と、
剥離シート部を除去して離型シート部と貼着シート部が積層してなる第２領域を形成するための第２領域形成部と、
第１領域と第２領域以外の領域に、離型シート部と貼着シート部と剥離シート部がこの順に積層してなる第３領域を有し、
第１領域形成部と第３領域の境界には、貼着シート部と剥離シート部を除去するための、剥離シート部と貼着シート部にわたる切離部が形成され、
第２領域形成部と第３領域の境界には、剥離シート部を除去するための切離部が剥離シート部に形成され、
第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部に切離部が形成されていることを特徴とする積層シート体。
【請求項９】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、離型シート部と貼着シート部にわたる切離部が形成されている請求項８記載の積層シート体。
【請求項１０】
上記第１領域形成部と第２領域形成部の境界のうち、第１領域を形成するために除去する剥離シート部と、その第１領域に隣接した第２領域を形成するために除去する剥離シート部を、それらが繋がった状態で除去する部分には、貼着シート部にのみ切離部が形成されている請求項８記載の積層シート体。
【請求項１１】
請求項８乃至１０の何れか１項に記載の積層シート体が、切離可能部を介して所定方向に複数連続してなるものであり、第２領域形成部と第３領域の一方が、所定方向において第１領域形成部により全幅にわたり中断することがない状態で、前記切離可能部を介して所定方向に連続している積層シート連続体。
【請求項１２】
上記切離可能部を介して所定方向に連続している各積層シート体の所定方向の両端部又は一端部に第２領域形成部を有し、その第２領域形成部に隣接して第３領域を有する請求項１１記載の積層シート連続体。
【請求項１３】
上記切離可能部を介して所定方向に隣接する積層シート体が、それぞれの所定方向における端部に形成された第２領域形成部同士において相対している請求項１２記載の積層シート連続体。
【請求項１４】
各積層シート体の両側部それぞれに第１領域形成部を有し、それらの第１領域形成部が切離可能部を介して所定方向に連続している請求項１１乃至１３の何れか１項に記載の積層シート連続体。
【請求項１５】
表側に離型面を有する離型シート部と、貼付対象に対し接着するための接着層を裏側に有し、その接着層において前記離型シート部の表側の離型面に仮着した貼着シート部と、前記貼着シート部の表側に仮着した剥離シート部が、この順に積層してなるシート体であって、
離型シート部からなり、貼着シート部と剥離シート部の両者が存在しない第１領域と、
離型シート部と貼着シート部が積層してなり、剥離シート部が存在しない、前記第１領域に隣接した第２領域と、
離型シート部と貼着シート部と剥離シート部がこの順に積層してなる第３領域を有することを特徴とする貼着用積層シート体。
【請求項１６】
上記離型シート部における第１領域と第２領域の境界に対応する位置に切離部を有する請求項１５記載の貼着用積層シート体。
【請求項１７】
上記第１領域に貼着シート部の剥離痕跡を有し、上記第２領域に剥離シート部の剥離痕跡を有する請求項１５又は１６記載の貼着用積層シート体。
【請求項１８】
請求項１５乃至１７の何れか１項に記載の貼着用積層シート体が、切離可能部を介して所定方向に複数連続してなるものであり、第２領域と第３領域の一方が、所定方向において第１領域により全幅にわたり中断することがない状態で、前記切離可能部を介して所定方向に連続している貼着用積層シート連続体。
【請求項１９】
上記切離可能部を介して所定方向に連続している各貼着用積層シート体の所定方向の両端部又は一端部に第２領域を有し、その第２領域に隣接して第３領域を有する請求項１８記載の貼着用積層シート連続体。
【請求項２０】
上記切離可能部を介して所定方向に隣接する貼着用積層シート体が、それぞれの所定方向における端部に形成された第２領域同士において相対している請求項１９記載の貼着用積層シート連続体。
【請求項２１】
各貼着用積層シート体の両側部それぞれに第１領域を有し、それらの第１領域が切離可能部を介して所定方向に連続している請求項１８乃至２０の何れか１項に記載の貼着用積層シート連続体。
【手続補正２】
【補正対象書類名】明細書
【補正対象項目名】０１０１
【補正方法】変更
【補正の内容】
【０１０１】
(4-7) この配送用連結ラベル（貼着用積層シート連続体Ｑ）は、図７に示すように、受付控シートＺを切離可能部Ｍにおいて切離して配送受付の控えとし、切離可能部Ｍを介して連続した宛名シートＸと配達控シートＹから離型シート部１０を剥離させた連続貼着体Ｒを、貼着シート部２０の裏側の接着層２０ａにおいて対象物である配送物の包装に貼着して使用することができる。図６における第３領域６０の貼着シート部２０と剥離シート部３０の左下角部が切り欠かれていて隣接する第１領域４２が広くなっているので、離型シート部１０からの剥離をより円滑に行い得る。